(57)【要約】      （修正有）【課題】迅速且つ容易に導電性ペン先を交換することができ、かつ使用時の過度の力による電子装置のスクリーンの破損を防止する、交換式タッチペンを提供する。【解決手段】交換式タッチペンは、導電性ペン軸の先端に環状の固定部材が嵌合または螺合の方式で連結され、固定部材の他端に締まりばめの方式で導電性ペン先が固定され、導電性ペン先は弾性材質である。【選択図】図２
0003173117.tif 000002
【実用新案登録請求の範囲】
【請求項１】
交換式タッチペンであって、プラスチック材質から成り、先端に連結部が形成された導電性ペン軸と、環状の中空構造である固定部材と、導電性ペン先を含み、前記固定部材の一端が前記導電性ペン軸の連結部に固定され、他端に前記導電性ペン先が固定され、前記導電性ペン先が前記固定部材上にしっかりと連結されたことを特徴とする、交換式タッチペン。
【請求項２】
前記固定部材が嵌合または螺合の方式で前記導電性ペン軸と相互に連結されたことを特徴とする、請求項１に記載の交換式タッチペン。
【請求項３】
前記導電性ペン軸の先端にキャップが被着されたことを特徴とする、請求項１に記載の交換式タッチペン。
【請求項４】
前記導電性ペン先を延伸して延伸部が形成され、前記導電性ペン先が多種類のサイズとすることができ、前記固定部材が屈曲されて前記延伸部に相対する位置決め部が形成され、前記延伸部が前記位置決め部により位置決め固定されて、前記導電性ペン先が前記導電性ペン軸の先端に固定されたことを特徴とする、請求項１に記載の交換式タッチペン。
【請求項５】
前記導電性ペン先が、導電性プラスチックまたは導電性ゴム、あるいは導電性スポンジのいずれかであることを特徴とする、請求項１に記載の交換式タッチペン。
【請求項６】
前記導電性ペン先が、導電性プラスチックまたは導電性ゴム、あるいは導電性スポンジのいずれかであることを特徴とする、請求項４に記載の交換式タッチペン。
【請求項７】
前記導電性ペン軸が、三角形状または円形状あるいは矩形状の構造とできることを特徴とする、請求項１に記載の交換式タッチペン。
【請求項８】
前記導電性ペン軸が、三角形状または円形状あるいは矩形状の構造とできることを特徴とする、請求項２に記載の交換式タッチペン。
【考案の詳細な説明】
【技術分野】
【０００１】
本考案は交換式タッチペンに関し、特に、随時導電性ペン先をしっかりと、迅速且つ容易に交換して使用できる、タッチペンに関する。
【背景技術】
【０００２】
早期のＰＤＡは簡単な電子ノートブックであり、その機能は社会人がよく使用する手帳に類似していて、経常的に行うまたは記録する必要がある物事や数字、文字、住所、電話等のデータを管理して、人々の作業をより効率的にし、携帯可能な情報をより豊富にすることができるものである。このＰＤＡ（パーソナルデジタルアシスタント）は年月を経て発展し、コンピュータと結合された後、人々にオンラインでコミュニケーション、リンク、インタラクションを提供するモバイル端末となり、その体積、重量、節電効果のいずれもノートブックコンピュータ（Ｎｏｔｅｂｏｏｋ）より優れているため、すでに情報時代の主流製品となっている。
【０００３】
図１に従来のＰＤＡ端末の正面図を示す。ＰＤＡ端末１００は主に軽くて小型の構造が特徴であるため、ノートブックコンピュータのようなキーボードがなく、タッチスクリーン１０１によりデータ入力とタッチ選択操作が行われる。この小さいタッチスクリーン１０１内で指を使ってタッチ選択操作を行うことが困難なため、一般的なＰＤＡには通常タッチペンが付属しており、使用者はタッチペンを利用してタッチ選択制御を行うことができる。ただ、従来のモニタまたはタッチスクリーン１０１は大きな圧力を受けることはできないため、スクリーン電子装置が圧迫されて壊れやすく、モニタ上に黒い損傷の痕跡が残ってしまうことがある。
【０００４】
しかしながら、従来のタッチペンは使用者がペン軸に圧力をかけ、ペン軸のモーメントアーム効果によりペン先により大きな下への圧迫力が生じるため、ペン先は使用者が力を入れすぎると、タッチスクリーン１０１を損傷する恐れがあるだけでなく、特にペン先が点でＰＤＡのタッチスクリーン１０１に接触するため、圧迫されて損傷し、変形したり、さらには断裂したりすることがあり、ペン先だけを交換することができないためペン全体を廃棄しなければならなくなることがある。このため、上述の原因に基づいて、手による圧力を減少し、使用者が随時簡単に交換できるペン先を設計する必要がある。
【０００５】
このことから分かるように、上述の従来のタッチペンには多くの欠点があり、よい設計とは言えず、改良が求められている。
【０００６】
本案の考案者は、上述の従来のタッチペンに派生する各欠点に鑑み、改良と創作を加え、かつ長年の研究を経て、ついにこの交換式タッチペンを完成させたものである。
【考案の概要】
【考案が解決しようとする課題】
【０００７】
本考案の目的は、固定部材と導電性ペン先の設置により、導電性ペン先が締まりばめの方式で固定部材上に固定され、同時に、固定部材を取り外してペン先を交換することができ、迅速且つ容易に導電性ペン先を交換することができる、交換式タッチペンを提供することにある。
【０００８】
本考案の別の目的は、導電性ペン先が弾性材質から成るため、使用者が操作して使用するとき、過度の力によって電子装置のスクリーンが破損することを防止できる、交換式タッチペンを提供することにある。
【課題を解決するための手段】
【０００９】
上述の目的を達するため、本考案は、先端に連結部が形成された導電性ペン軸と、環状の中空構造である固定部材と、導電性ペン先を含み、前記固定部材は一端が前記導電性ペン軸の連結部に固定され、他端に締まりばめの方式で導電性ペン先が固定され、導電性ペン先は前記導電性ペン軸上にしっかりと連結される。
【００１０】
一実施例において、前記導電性ペン軸はプラスチック材質から成る。
【００１１】
一実施例において、前記導電性ペン軸の外観の色は、導電性塗料により変化可能とすることができる。
【００１２】
一実施例において、前記導電性ペン軸は三角形状または円形状あるいは矩形状の構造とすることができる。
【００１３】
一実施例において、前記導電性ペン軸の外縁にクリップ部材を連結してもよく、前記クリップ部材は前記導電性ペン軸との間に間隙を形成し、使用者が導電性ペン軸を衣服上に挟んで固定するために用いることができる。
【００１４】
一実施例において、前記固定部材は嵌合または螺合の方式で導電性ペン軸と相互に連結される。
【００１５】
一実施例において、前記導電性ペン軸は先端がキャップで被覆される。
【００１６】
一実施例において、前記導電性ペン先は延伸部が延伸して設けられ、前記固定部材は屈曲されて延伸部に相対する位置決め部が設けられ、延伸部と位置決め部を相互に位置決め固定することで、導電性ペン先が導電性ペン軸の先端に固定される。
【００１７】
一実施例において、前記導電性ペン先３は、大、中、小等異なるサイズとすることができる。
【図面の簡単な説明】
【００１８】
【図１】従来のＰＤＡの概略図である。
【図２】交換式タッチペンの立体分解図１である。
【図３】交換式タッチペンの立体分解図２である。
【図４】交換式タッチペンの立体外観図である。
【図５】交換式タッチペンの別の実施例の立体外観図である。
【図６】交換式タッチペンの使用時の立体図である。
【図７】交換式タッチペンのさらに別の実施例の立体分解図である。
【図８】交換式タッチペンのさらに別の実施例の立体外観図である。
【図９Ａ】交換式タッチペンの小サイズの導電性ペン先を示す概略図である。
【図９Ｂ】交換式タッチペンの中サイズの導電性ペン先を示す概略図である。
【図９Ｃ】交換式タッチペンの大サイズの導電性ペン先を示す概略図である。
【考案を実施するための形態】
【００１９】
本考案の上述及びその他目的、特徴、利点をよりはっきりと分かりやすくするため、以下特に最良の実施例を挙げ、図面を組み合わせて、詳細に説明する。
【実施例１】
【００２０】
図２から図４に本考案の提供する交換式タッチペンの立体分解図及び立体外観図をそれぞれ示す。本考案の交換式タッチペンは次を含む。
【００２１】
導電性ペン軸１は、プラスチック材質から成る。導電性ペン軸１の外観の色は、導電性塗料により変化可能として、導電性ペン軸１の色彩の豊富さを高めてもよい。導電性ペン軸１は図に示す円形のほか、三角形状や矩形状の構造とすることもできる。製品の実用性を高めるため、ペン軸の外縁部にクリップ部材１１を連結してもよく、このクリップ部材１１は導電性ペン軸１との間に間隙を形成し、使用者は導電性ペン軸１を衣服上に挟んで固定することができる。導電性ペン軸１の先端には連結部１２が形成される。
【００２２】
固定部材２は環状の中空構造であり、その一端が嵌合または螺合の方式で導電性ペン軸１の連結部１２と相互に連結固定され、連結後導電性ペン軸１の先端に固定される。他端には締まりばめの方式で導電性ペン先３が固定され、導電性ペン先３がペン軸上にしっかりと連結される。
【００２３】
導電性ペン先３は、例えば導電性プラスチック、導電性ゴム、導電性スポンジなどの弾性材質から成り、締まりばめの方式で固定部材２上に固定される。
【実施例２】
【００２４】
図５に本考案の交換式タッチペンの別の立体外観図を示す。本実施例において、導電性ペン軸１は先端にキャップ５が被着され、キャップ５が導電性ペン先３を被覆して、導電性ペン先３が外部に露出されて磨耗が加速したり、ぶつけられ足りすることを回避し、使用寿命を延長することができる。
【００２５】
図６に本考案の交換式タッチペンの使用時の立体図を示す。使用者が操作して使用するときは、導電性ペン軸１を握り、導電性ペン先３と電子装置４のスクリーンを接触させると、導電性ペン先３とスクリーン間が相互に導通され、電子装置４の操作制御という目的を達することができる。このほか、導電性ペン先３は弾性材質から成るため、長期の使用後磨耗や断裂が起こりやすい。万一導電性ペン先３に磨耗や断裂が起こったときは、固定部材２を取り外すだけで、導電性ペン先３を交換することができ、その後固定部材２を元に戻して固定し直すだけで、随時迅速且つ簡単に導電性ペン先３を交換できるタッチペンが得られる。特に、異なるタッチ制御位置や用途に応じて異なる直径のタッチペン先に交換でき、ペン先が１つしかない欠点を克服することができる。
【実施例３】
【００２６】
図７と図８に本考案のタッチペンのさらに別の構造の立体分解図及び立体外観図を示す。本実施例の交換式タッチペンは次を含む。
【００２７】
導電性ペン軸１は、プラスチック材質から成る。導電性ペン軸１の外観の色は、導電性塗料により変化可能として、導電性ペン軸１の色彩の豊富さを高めてもよい。導電性ペン軸１は図に示す円形のほか、三角形状や矩形状の構造とすることもできる。製品の実用性を高めるため、ペン軸の外縁部にクリップ部材１１を連結してもよく、このクリップ部材１１は導電性ペン軸１との間に間隙を形成し、使用者は導電性ペン軸１を衣服上に挟んで固定することができる。導電性ペン軸１の先端には連結部１２が形成される。
【００２８】
固定部材２は環状の中空構造であり、その一端が嵌合または螺合の方式で導電性ペン軸１の連結部１２と相互に連結固定され、連結後導電性ペン軸１の先端に固定される。他端は内側に向かって屈曲されて位置決め部２１が設けられ、これにより導電性ペン先３を挟持して導電性ペン軸１上に位置決めすることができる。
【００２９】
導電性ペン先３は、例えば導電性プラスチック、導電性ゴム、導電性スポンジなどの弾性材質から成り、導電性ペン先３の底部が外側に向かって延伸され、固定部材２の位置決め部２１に相対する延伸部３１が形成され、導電性ペン先３を固定部材２に穿置したとき、延伸部３１が固定部材２の位置決め部２１上に位置決めされて、導電性ペン先３が固定部材２により導電性ペン軸１の先端に固定され、これにより使用者が操作時に加える力が不適切で電子装置４を破損したり、導電性ペン先３に断裂を引き起こしたりすることを回避することができる。
【００３０】
図９Ａ、図９Ｂ、図９Ｃに、本考案の交換式タッチペンの小サイズ、中サイズ、大サイズの導電性ペン先を表す概略図をそれぞれ示す。上述の構造から分かるように、導電性ペン先３は延伸部３１が固定部材２の位置決め部２１により位置決めされて固定されるため、導電性ペン先３を大、中、小等またはさらに多くの異なるサイズに分け、異なるサイズの導電性ペン先３を使用者が異なる電子製品に用いることができる。
【００３１】
上述の詳細な説明は本考案の実施可能な実施例の具体的な説明であり、これらの実施例は本考案の請求の範囲を制限するために用いられてはならず、本考案の要旨を逸脱しない同等効果の実施または変更はいずれも本考案の請求の範囲に含まれる。本考案の権利保護範囲は後付の実用新案登録請求の範囲の記載に準じる。
【符号の説明】
【００３２】
１        導電性ペン軸
１００    ＰＤＡ端末
１０１    スクリーン
１１      クリップ部材
１２      連結部
２        固定部材
２１      位置決め部
３        導電性ペン先
３１      延伸部
４        電子装置
５        キャップ
【図１】
0003173117.tif 000003
【図２】
0003173117.tif 000004
【図３】
0003173117.tif 000005
【図４】
0003173117.tif 000006
【図５】
0003173117.tif 000007
【図６】
0003173117.tif 000008
【図７】
0003173117.tif 000009
【図８】
0003173117.tif 000010
【図９Ａ】
0003173117.tif 000011
【図９Ｂ】
0003173117.tif 000012
【図９Ｃ】
0003173117.tif 000013